(57)【特許請求の範囲】
【請求項１】
スプロケット歯車と噛み合って駆動させるチェーンを取り替えるための治具であって、
前記チェーンの少なくとも１部を前記チェーン駆動時のチェーン走行方向に直交するチェーン幅方向から挟むように設けられた一対のチェーンガイドと、
前記一対のチェーンガイドの上部を連結するとともに前記一対のチェーンガイドの挟持幅を調整する調整具と、
前記一対のチェーンガイドの対向面のそれぞれ設けられた一対の溝と、
前記スプロケット歯車とチェーンとの間に挿入するために前記一対の溝に差し込まる板部と、
を有することを特徴とするチェーン取替え用治具。
【請求項２】
スプロケット歯車と噛み合って駆動させるチェーンを取り替えるための治具であって、
前記チェーンの少なくとも１部を前記チェーン駆動時のチェーン走行方向に直交するチェーン幅方向から挟むように前記チェーンの上方から取り付けられる断面コ字状のチェーンガイドと、
前記チェーンガイドの挟持対向面のそれぞれ設けられた一対の溝と、
前記スプロケット歯車とチェーンとの間に挿入するために前記一対の溝に差し込まる板部と、
を有することを特徴とするチェーン取替え用治具。
【請求項３】
請求項１または請求項２に記載のチェーン取替え用治具において、
更に、前記一対のチェーンガイド又は断面コ字状のチェーンガイドの少なくとも一方の溝に連通する孔と、
前記孔に挿入し前記板部を固定する板部固定具と、
を有することを特徴とするチェーン取替え用治具。
【請求項４】
請求項１または請求項２に記載のチェーン取替え用治具において、
更に、前記一対のチェーンガイド又は断面コ字状のチェーンガイドの対向面のそれぞれに設けられた連通孔と、
前記連通孔に挿入され前記スプロケット歯車と係合させて前記一対のチェーンガイド又はチェーンガイドを前記スプロケット歯車に固定するガイド固定具と、
を有することを特徴とするチェーン取替え用治具。
【発明の詳細な説明】
【０００１】
【発明の属する技術分野】
本発明は例えばエスカレータ用のチェーン用移動手摺りの駆動手段として用いられるスプロケット歯車に掛けられたチェーンを取り替えるための治具、特に、スプロケット歯車からチェーンを取り外し、新規チェーンに取り替える際のチェーンの脱落を防止し、短時間で作業を行えるチェーン取替え用治具に関する。
【０００２】
【従来の技術】
従来より、スプロケット歯車とこれに掛けられたチェーンとの組合せによるエスカレータ用移動手摺り等の駆動装置に置いて、チェーンのみを交換する場合、スプロケット歯車を回転させながら、旧チェーンを外し、新チェーンを取り付けていました。
【０００３】
図１６には、一般的なエスカレータ用手摺りの駆動部周辺の一部透視図を含む側面図が示されている。駆動装置２１は、エスカレータ本体を全体的に駆動させる駆動装置であって、メインチェーン２２を駆動させる。メインチェーン２２は、メインスプロケット歯車２３に噛み合い、メインスプロケット歯車２３を回転駆動させる。スプロケット歯車１８は、メインスプロケット歯車２３と同軸構造で一体に回転し、スプロケット歯車１８に噛み合うことによって、チェーン５は駆動される。一方、スプロケット歯車２４ａは、チェーン５と噛み合うことによって回転駆動され、スプロケット歯車２４ａと噛み合うことによって、チェーン２６が駆動される。そして、チェーン２６の駆動によって、ナイロン製ローラ２７が回転駆動される。また、エスカレータの移動手摺り２８は、ローラ２７の外周に当接するように駆動される。また、チェーン５は、チェーン連結部２９によって連結されている。
【０００４】
そして、駆動装置２１を駆動させることによって、メインチェーン２２が駆動し、これによりメインスプロケット歯車２３が回転駆動して、この回転駆動に連動してスプロケット歯車１８が回転駆動する。このスプロケット歯車１８の回転駆動により、チェーン５が駆動し、スプロケット２４ａが回転駆動し、チェーン２６が駆動して、ローラ２７が回転し、これによって移動手摺り２８が駆動する。
【０００５】
次に、上述のようなエスカレータのチェーン５を取り替える作業について、図８〜図１５を用い、特開平９−４２３９４号公報に記載されたチェーン取替え用治具を例に取って説明する。
【０００６】
図８および図９に示されているように、チェーン取替え用治具１００（以下「治具１００」という）は、断面コ字状の上板１１と下板１２とが背面で接合されている。この治具１００は、上板１１の先端１１ａが、下板１２の先端１２ａより所定距離Ｄ分だけ突き出すように接合され、上板１１と下板１２には、その重ね時に、その各中心線に沿って同位置に複数の長穴１３が形成されている。この長穴１３を介して、上板１１と下板１２とをワイヤによって連結させることによって、上述したように、上板１１と下板１２とが背面で接合される。
【０００７】
図１０に示すように、上板１１及び下板１２を断面コ字形状とすることによって、治具１００が、チェーン５及びスプロケット歯車１８の歯部６（図５）から外れないようになっている。
【０００８】
図１１〜図１５を用いて、上述の治具１００を用いたチェーン５の取り替え作業について説明する。
【０００９】
チェーン取替え作業は、ブレーキを手動で開放するととも駆動装置２１を動かす作業員（図示せず）と、旧チェーン５と新チェーン５０とを入れ替える作業員Ｐ１，Ｐ２との３名で行われる。
【００１０】
エスカレータの移動手摺り２８を駆動させるチェーン５を取替える場合、駆動装置２１を停止させ、エスカレータ昇降口のマンホールを開けて、図１６に示すメインチェーン２２及びメインスプロケット歯車２３を動かすことによって、エスカレータを手動で下降移動させ、連結部２９の位置に対応したエスカレータの踏段を、連結部２９を中心に上下３段ずつ計任意の段数６段分取り外す（Ｓ２０２）。  次に、チェーン５の張力を最大限に弛め、径の小さいスプロケット歯車２４ａの歯からチェーン５を取り外す（Ｓ２０４）。その後、図１１及び図１２に示すように、治具１００をスプロケット歯車１８の上部に取り付けて差し込む（Ｓ２０６）。その際、治具１００が、スプロケット歯車１８とチェーン５との間に挿入されることによって、治具１００の下板１２の下面は、スプロケット歯車１８の歯部６に接触し、歯部６を両側から挟み込むように装着され、下板１２は、チェーン５を上方に持ち上げ、歯部６に対するチェーン５の噛み合い状態を解除しながら移動し、スプロケット歯車１８の外周に沿って湾曲しながら、図１３のように進む。
【００１１】
次いで、エスカレータを手動で駆動しながらチェーン５を移動させ、連結部２９を作業員Ｐ１，Ｐ２の位置まで移動させた後、連結部２９からチェーン５の一端を取外し、図１４に示す矢印方向にチェーン５を回収すると共に、新規のチェーン５０を連結部２９に接続し、エスカレータを手動で駆動しながら、チェーン５０を矢印方向に移動させ、新旧チェーン５，５０を取り替える（Ｓ２０８）。
【００１２】
図１３に示すように、治具１００がスプロケット歯車１８の円周の約１／４〜１／３まで進むと、それから先は、チェーン５の自重によりスプロケット歯車１８との噛み合い状態が外れる。これにより、チェーン５は、スプロケット歯車１８の歯部６から完全に分離し、チェーン５単体で自在かつ迅速に移動させることができる。
【００１３】
そして、新規のチェーン５０をスプロケット歯車２４ａの軸に回し、連結部２９から古いチェーン５の他端を取り外して新規のチェーン５０の他端を接続して、新規のチェーン５０の連結を完了させる（Ｓ２１０）。
【００１４】
【発明が解決しようとする課題】
図８〜１５に示す従来のチェーン取替え用治具は、チェーン５がコ字状の上板１１に乗せられているだけである。したがって、チェーン５に張力があって、チェーン５が下板１２とスプロケット歯車１８の歯部６とを押しつけている場合は、歯部６と下板１２とが噛み合った状態となり、上述したように、チェーン５が上板１１上にのって、歯部６との噛み合いがスムーズに外れていく。
【００１５】
しかしながら、チェーン５の張力が弛むと、チェーン５が下板１２から脱落したり、チェーン５による下板１２への押圧力が減少して下板１２と歯部６との噛み合いが弛み、取替え作業中に治具１００がスプロケット歯車１８から脱落したりするという可能性があった。
【００１６】
本発明は上記従来の課題に鑑みたものであり、その目的は、取替え作業中にチェーンが治具上から脱落したり、治具がスプロケット歯車から脱落したりすることを防止するチェーン取替え用治具を提供することである。
【００１７】
【課題を解決するための手段】
以上のような課題を解決するために、本発明に係るチェーン取替え用治具は、以下の特徴を有する。
【００１８】
（１）スプロケット歯車と噛み合って駆動させるチェーンを取り替えるための治具であって、前記チェーンの少なくとも１部を前記チェーン駆動時のチェーン走行方向に直交するチェーン幅方向から挟むように設けられた一対のチェーンガイドと、前記一対のチェーンガイドの上部を連結するとともに前記一対のチェーンガイドの挟持幅を調整する調整具と、前記一対のチェーンガイドの対向面のそれぞれ設けられた一対の溝と、前記スプロケット歯車とチェーンとの間に挿入するために前記一対の溝に差し込まる板部と、を有する。
【００１９】
チェーンの両側に一対のチェーンガイドに配し、調整具によってチェーンガイドによってチェーンを挟むようにようにするので、チェーンがチェーン取替え用治具（以下「治具」という）から脱落する可能性が少なくなる。更に、チェーンガイドの上部、例えばチェーンの上方を跨ぐようにして調整具が取り付けられるため、チェーンの張力が弛み、チェーンが上方に移動しても、調整具によって押さえられ、治具から脱落することはない。更に、スプロケット歯車の歯部とチェーンとの間に板部を挿入することによって、簡単に歯部とチェーンとの噛み合い状態を解除することができる。また、板部は構造が簡単で狭い場所でも取扱いが容易である。更に、板部をチェーンガイドの溝に差し込むことによって、板部の位置決めができると共に、治具に対する板部の脱落を防止することができる。これらにより、チェーンの取替え作業中に、チェーンを治具から脱落させることなく、簡便にチェーンとスプロケット歯車の歯部との噛み合わせを解除することができる。
【００２０】
（２）スプロケット歯車と噛み合って駆動させるチェーンを取り替えるための治具であって、前記チェーンの少なくとも１部を前記チェーン駆動時のチェーン走行方向に直交するチェーン幅方向から挟むように前記チェーンの上方から取り付けられる断面コ字状のチェーンガイドと、前記チェーンガイドの挟持対向面のそれぞれ設けられた一対の溝と、前記スプロケット歯車とチェーンとの間に挿入するために前記一対の溝に差し込まる板部と、を有する。
【００２１】
チェーンの両側を挟むようにしながら、チェーンの上方から断面コ字上のチェーンガイドが装着されるので、チェーンの張力が弛んだとしても、チェーンがチェーン取替え用治具（以下「治具」という）から脱落する可能性がない。更に、スプロケット歯車の歯部とチェーンとの間に板部を挿入することによって、簡単に歯部とチェーンとの噛み合い状態を解除することができる。また、板部は構造が簡単で狭い場所でも取扱いが容易である。更に、板部をチェーンガイドの溝に差し込むことによって、板部の位置決めができると共に、治具に対する板部の脱落を防止することができる。これらにより、チェーンの取替え作業中に、チェーンを治具から脱落させることなく、簡便にチェーンとスプロケット歯車の歯部との噛み合わせを解除することができる。
【００２２】
（３）上記（１）または（２）に記載のチェーン取替え用治具において、更に、前記一対のチェーンガイド又は断面コ字状のチェーンガイドの少なくとも一方の溝に連通する孔と、前記孔に挿入し前記板部を固定する板部固定具と、を有する。
【００２３】
板部を板部固定具によって固定することによって、スプロケット歯車の歯部とチェーンとを容易に分離させておくことができる。これにより、更に取替え作業が円滑に行える。
【００２４】
（４）上記（１）または（２）に記載のチェーン取替え用治具において、更に、前記一対のチェーンガイド又は断面コ字状のチェーンガイドの対向面のそれぞれに設けられた連通孔と、前記連通孔に挿入され前記スプロケット歯車と係合させて前記一対のチェーンガイド又はチェーンガイドを前記スプロケット歯車に固定するガイド固定具と、を有する。
【００２５】
チェーンガイドをガイド固定具によってスプロケット歯車に固定することによって、取替え作業中に、治具がスプロケット歯車から脱落することを抑制できる。
【００２６】
【発明の実施の形態】
以下、本発明の好適な一実施の形態を説明する。なお、従来の治具と同一の構成には同一の符号を付し、その説明を省略する。
【００２７】
第１実施形態．
図１〜図６を用いて第１の実施形態のチェーン取替え用治具について説明する。
【００２８】
図１〜図３に示すように、第１の実施形態のチェーン取替え用治具１０（以下「治具１０」という）は、エスカレータの移動手摺りを駆動させるためのスプロケット歯車の歯部６と噛み合って駆動させるチェーン５を取り替えるための治具である。この治具１０には、チェーン５の少なくとも１部を前記チェーン駆動時のチェーン走行方向に直交するチェーン幅方向から挟むように一対のチェーンガイド２ａ，２ｂが設けられている。また、一対のチェーンガイド２ａ，２ｂの上部には、それぞれに孔１６ａ，１６ｂが設けられ、この孔１６ａ，１６ｂに調整具が挿入固定されて、チェーンガイド２ａ，２ｂが上部で連結されると共に、一対のチェーンガイド２ａ，２ｂの挟持幅が調整される。この調整具は、ボルト８と、ナット１５ａ，１５ｂ，１５ｃとからなり、ボルト８は、チェーンガイド２ａ，２ｂのそれぞれに設けられた孔１６ａ，１６ｂに挿入され、ナット１５ａ，１５ｂ，１５ｃによってチェーンガイド２ａ，２ｂに固定されるとともに、このボルト８の締め具合によって、一対のチェーンガイド２ａ，２ｂの挟持幅を調整することができる。更に、一対のチェーンガイド２ａ，２ｂの対向面には、それぞれ溝７ａ，７ｂが設けられ、板部９は、スプロケット歯車の歯部６とチェーン５との間に挿入するように、溝７ａ，７ｂに差し込まれる。この板部９は、可撓性を有する部材が好ましい。
【００２９】
このように、一対のチェーンガイド２ａ，２ｂが設けられているので、治具１０に対するチェーン５の横方向の脱落を防止できる。更に、チェーンガイド２ａ，２ｂの上部連結し、チェーン５の上方を跨ぐようにしてボルト８に取り付けられるため、チェーン５の張力が弛み、チェーン５が上方に脱落しかけたとしても、ボルト８によって押さえることができ、治具１０からのチェーン５の脱落を防止できる。また、スプロケット歯車の歯部６とチェーン５との間に板部９を挿入することにより、歯部６とチェーン５との噛み合い状態を解除することができる。また、板部９をチェーンガイド２ａ，２ｂに設けられた溝７ａ，７ｂに差し込むことによって、板部９の位置決めができると共に、治具１０に対する板部９の脱落を防止することもできる。これらにより、チェーン５の取替え作業中に、チェーン５を治具１０から脱落させることなく、簡便にチェーン５とスプロケット歯車の歯部６との噛み合わせを解除することができる。
【００３０】
更に、治具１０には、一対のチェーンガイド２ａ，２ｂの溝７ａ，７ｂの少なくとも一方の溝（図１では溝７ａ）に連通する孔１７が設けられ、板部固定具でである固定ボルト３を孔１７に挿入しかしめることによって、板部９を治具１０内に固定することができる。板部９の位置を安定させることができ、スプロケット歯車の歯部６とチェーン５とを容易に分離させておくことができる。
【００３１】
更に、治具１０には、一対のチェーンガイド２ａ，２ｂの下端にそれぞれに連通孔１８ａ，１８ｂが設けられている。この連通孔１８ａ，１８ｂに、ガイド固定具であるガイド固定ボルト４を挿入し、ガイド固定ボルト４をスプロケット歯車の歯部６と係合させることによって、一対のチェーンガイド２ａ，２ｂをスプロケット歯車に固定することができる。その結果、治具１０がスプロケット歯車に固定され、取替え作業中に、治具１０がスプロケット歯車から脱落することを防止できる。
【００３２】
次に、本実施の形態の治具の取り付け動作及び本実施の形態の治具を用いたチェーンの取り替え作業について、図４〜図６及び図１４、図１６を用いて説明する。
【００３３】
チェーン取替え作業は、ブレーキを手動で開放するととも駆動装置２１を動かす作業員（図示せず）と、旧チェーン５と新チェーン５０とを入れ替える作業員Ｐ１，Ｐ２との３名で行われる。
【００３４】
エスカレータの移動手摺り２８を駆動させるチェーン５を取替える場合、駆動装置２１を停止させ、エスカレータ昇降口のマンホールを開けて、図１６に示すメインチェーン２２及びメインスプロケット歯車２３を動かすことによって、エスカレータを手動で下降移動させ、連結部２９の位置に対応したエスカレータの踏段を、連結部２９を中心に上下３段ずつ計任意の段数６段分取り外す。
【００３５】
次に、チェーン５の張力を最大限に弛め、径の小さいスプロケット歯車２４ａの歯からチェーン５を取り外す。その後、図３及び図４に示すように、治具１０の一対のチェーンガイド２ａ，２ｂをチェーン５とスプロケット歯車１８の両側に取り付ける（Ｓ１０２）。次いで、チェーンガイド２ａ，２ｂの孔１６ａ，１６ｂにボルト８を挿入し、ボルト８をナット１５ａ，１５ｂ，１５ｃを用いて固定してチェーンガイド２ａ，２ｂを連結させると共に、ボルト８の締め具合によって、一対のチェーンガイド２ａ，２ｂの挟持幅を調整する。
【００３６】
次に、チェーンガイド２ａ，２ｂの下端の連通孔１８ａ，１８ｂにガイド固定ボルト４を挿入し、ガイド固定ボルト４をスプロケット歯車の歯部６と係合させることによって、一対のチェーンガイド２ａ，２ｂをスプロケット歯車に固定する。その結果、治具１０がスプロケット歯車に固定される（Ｓ１０４）。
【００３７】
続いて、治具１０の溝７ａ，７ｂに板部９を差し込み、板部９をスプロケット歯車の歯部６とチェーン５との間に挿入することによって、チェーン５を上方にに持ち上げ、歯部６に対するチェーン５の噛み合い状態を解除しながら板部９を移動させ、スプロケット歯車１８の外周に沿って湾曲させながら、板部９を送る。そして、任意の位置で板部９を固定ボルト３によって治具１０に固定する（Ｓ１０８）。
【００３８】
図４に示すように、板部９を送りながら、複数の治具１０を上述同様にスプロケット歯車１８に固定し、複数の治具１０に順次板部９を差し込みながら、スプロケット歯車１８の歯部６とチェーン５とを分離させていく。
【００３９】
次いで、エスカレータを手動で駆動しながらチェーン５を移動させ、連結部２９を作業員Ｐ１，Ｐ２の位置まで移動させた後、連結部２９からチェーン５の一端を取外し、図１４に示す矢印方向にチェーン５を回収すると共に、新規のチェーン５０を連結部２９に接続し、エスカレータを手動で駆動しながら、チェーン５０を矢印方向に移動させ、新旧チェーン１０，５０を取り替える（Ｓ１１０）。
【００４０】
そして、新規のチェーン５０をスプロケット歯車２４ａの軸に回し、連結部２９から古いチェーン５の他端を取り外して新規のチェーン５０の他端を接続して、新規のチェーン５０の連結を完了させる（Ｓ１１２）。
【００４１】
第２実施形態．
図７を用いて第２の実施形態のチェーン取替え用治具について説明する。なお、第１の実施の形態と同一の構成には、同一の符号を付しその説明を省略する。
【００４２】
本実施の形態の治具３０は、図７に示すように、上述の第１の実施の形態の治具１０（図１に示す）の一対のチェーンガイド２ａ，２ｂとボルト８の代わりに、チェーン５の少なくとも１部を前記チェーン駆動時のチェーン走行方向に直交するチェーン幅方向から挟むようにチェーン５の上方から取り付けられる断面コ字状のチェーンガイド３２を有する。
【００４３】
このチェーンガイド３２は、チェーン５を上方の脱落を抑える屋根部材と、チェーン５の横方向の脱落を抑制する壁部材とが一体に形成されており、第１の実施の形態に比べ、治具の取付をより簡略化することができる。なお、本実施の形態の治具３０も、上述同様に、複数個スプロケット歯車に固定させて用いてもよい。
【００４４】
本実施の形態の治具３０によるチェーンの取替え作業は、第１の実施の形態の治具を用いたチェーンの取り替え作業とほぼ同様にして行われる。
【００４５】
すなわち、図６のＳ１０２の動作の代わりに、チェーン５の張力を最大限に弛め、径の小さいスプロケット歯車２４ａの歯からチェーン５を取り外した後、治具３０の断面コ字状のチェーンガイド３２をチェーン５を上方から覆うようにしてスプロケット歯車１８の両側に取り付ける。
【００４６】
次いで、チェーンガイド３２の下端の連通孔１８ａ，１８ｂにガイド固定ボルト４を挿入し、ガイド固定ボルト４をスプロケット歯車の歯部６と係合させ、チェーンガイド３２をスプロケット歯車に固定する。
【００４７】
次に、治具３０の溝７ａ，７ｂに板部９を差し込み、板部９をスプロケット歯車の歯部６とチェーン５との間に挿入することによって、チェーン５を上方に持ち上げ、歯部６に対するチェーン５の噛み合い状態を解除しながら板部９を移動させ、スプロケット歯車１８の外周に沿って湾曲させながら、板部９を送る。また、板部９を固定ボルト３によって治具３０に固定する。更に、板部９を送りながら、複数の治具３０を上述同様にスプロケット歯車１８に固定し、複数の治具３０に順次板部９を差し込みながら、スプロケット歯車１８の歯部６とチェーン５とを分離させていく。そして、古いチェーン５と新規のチェーンとを取り替える。
【００４８】
【発明の効果】
以上のように、本発明に係るチェーン取替え用治具によれば、チェーンの上方向および横方向の脱落を防止しながら、スプロケット歯車の歯部との噛み合い状態を容易に解除することができる。更に、治具のチェーンガイドの下端が、スプロケット歯車に固定されているので、治具がスプロケット歯車から脱落することなく、安定に取り付けることができる。また、スプロケット歯車の歯部とチェーンとを板部によって、分離させていくが、この板部の構造は単純で狭い場所でも、取扱いが容易で作業性がよい。
【図面の簡単な説明】
【図１】  本発明の第１実施形態のチェーン取替え用治具の構成を示す断面図である。
【図２】  本発明の第１実施形態のチェーン取替え用治具の構成を示す斜視図である。
【図３】  本発明の第１実施形態のチェーン取替え用治具に板部を挿入していく状態を説明する側面図である。
【図４】  本発明の第１実施形態のチェーン取替え用治具の取付状態を示す図である。
【図５】  本発明の第１実施形態のチェーン取替え用治具の板部を用いたチェーンとスプロケット歯車の噛み合い解除動作を説明する側面図である。
【図６】  本発明の第１実施形態のチェーン取替え用治具を用いたチェーン取り替え作業のフロー図である。
【図７】  本発明の第２実施形態のチェーン取替え用治具の構成を示す断面図である。
【図８】  従来のチェーン取替え用治具の構成を示す斜視図である。
【図９】  従来のチェーン取替え用治具の構成を示す平面図である。
【図１０】  従来のチェーン取替え用治具の構成を示す正面図である。
【図１１】  従来のチェーン取替え用治具を用いたチェーン取り替え作業の状態を示す拡大斜視図である。
【図１２】  従来のチェーン取替え用治具を用いたチェーン取り替え作業の状態を示す拡大側面図である。
【図１３】  従来のチェーン取替え用治具を用いたチェーン取り替え作業の状態を示す一部断面図を含む側面図である。
【図１４】  チェーン取替え作業を説明する図である。
【図１５】  従来のチェーン取替え作業手順を示すフロー図である。
【図１６】  一般的なエスカレータの駆動装置の概要を説明する図である。
【符号の説明】
２ａ，２ｂ  チェーンガイド、５  チェーン、６  歯部、７ａ，７ｂ  溝、８ボルト、９  板部、１０  チェーン取替え用治具、１５ａ，１５ｂ，１５ｃ  ナット、１６ａ，１６ｂ，１７  孔、１８ａ，１８ｂ  連通孔。
【図１】
0003962534.tif 000002
【図２】
0003962534.tif 000003
【図３】
0003962534.tif 000004
【図４】
0003962534.tif 000005
【図５】
0003962534.tif 000006
【図６】
0003962534.tif 000007
【図７】
0003962534.tif 000008
【図８】
0003962534.tif 000009
【図９】
0003962534.tif 000010
【図１０】
0003962534.tif 000011
【図１１】
0003962534.tif 000012
【図１２】
0003962534.tif 000013
【図１３】
0003962534.tif 000014
【図１４】
0003962534.tif 000015
【図１５】
0003962534.tif 000016
【図１６】
0003962534.tif 000017